(57)【要約】【課題】異なる線種を弁別して正確に検出することができる線種弁別放射線検出装置並びにこれを使用したサーベイメータ、放射線モニタ及び個人被ばく線量計を提供する。【解決手段】β線等の第１線種に反応する第１検出部１０ａ、１０ｂ、１０ｃが、第１線種の進行方向に複数重ねて形成された第１検出器１０と、上記第１線種とγ線等の第２線種との両方に反応する第２検出部１２ａが、第１線種と第２線種の進行方向で、第１検出器１０と重なるように配置された第２検出器１２と、を備える線種弁別放射線検出装置。【選択図】図１
2015203602.tif 000002
【特許請求の範囲】
【請求項１】
第１線種に反応する第１検出部が、前記第１線種の進行方向に形成された第１検出器と、
前記第１線種と第２線種との両方に反応する第２検出部が、前記第１線種と前記第２線種の進行方向で、前記第１検出器と重なるように配置された第２検出器と、
を備える線種弁別放射線検出装置。
【請求項２】
前記第１検出器が、３層以上の第１検出部を備える、請求項１に記載の線種弁別放射線検出装置。
【請求項３】
前記第２検出器に入射した放射線のエネルギーの大きさを計測するエネルギー計測部を備え、線種弁別情報とあわせて線種毎のエネルギー値及び検出頻度に基づき線種毎のスペクトルを生成する請求項１または請求項２に記載の線種弁別放射線検出装置。
【請求項４】
前記第１線種がベータ線であり、前記第２線種がガンマ線である請求項１から請求項３のいずれか一項に記載の線種弁別放射線検出装置。
【請求項５】
前記第１検出器が、多芯比例計数管、ガイガーミュラー管、シンチレータ、２次元ガス検出器またはＳｉ半導体検出器のいずれかにより構成されている請求項１から請求項４のいずれか一項に記載の線種弁別放射線検出装置。
【請求項６】
前記第２検出器が、シンチレータ、ＣｄＴｅ半導体検出器またはＣｄＺｎＴｅ半導体検出器のいずれかにより構成されている請求項１から請求項５のいずれか一項に記載の線種弁別放射線検出装置。
【請求項７】
請求項１から請求項６のいずれか一項に記載の線種弁別放射線検出装置を使用したサーベイメータ。
【請求項８】
請求項１から請求項６のいずれか一項に記載の線種弁別放射線検出装置を使用した放射線モニタ。
【請求項９】
請求項１から請求項６のいずれか一項に記載の線種弁別放射線検出装置を使用した個人被ばく線量計。
【発明の詳細な説明】
【技術分野】
【０００１】
本発明は、線種弁別放射線検出装置並びにこれを使用したサーベイメータ、放射線モニタ及び個人被ばく線量計に関する。
【背景技術】
【０００２】
放射線検出装置により異なる線種を弁別して検出するためには、例えば検出線種が異なる検出器を放射線の進行方向に重ねて配置し、これらの間に遮蔽板を配置する構成等が考えられる。
【０００３】
例えば、下記特許文献１には、β線とγ線を検出する第１検出器とγ線を検出する第２検出器とを配置し、これらの間にβ線を遮へいするための遮へい板を設けた構成が開示されている。しかし、この構成では、第１検出器を通過したβ線は検出できず、β線を正確に検出することが困難である。
【０００４】
また、下記特許文献２には、α線を検出するＺｎＳ（Ａｇ）シンチレータとβ（γ）線を検出するＮＥ１０２Ａプラスチックシンチレータとが配置され、ＺｎＳ（Ａｇ）シンチレータがα線の遮蔽板を兼ねる構成が開示されている。しかし、この構成では、β線とγ線とを弁別して検出することができない。そこで、特許文献２では、シンチレータを３重に組み合わせたＺｎＳ（Ａｇ）／ＮＥ１０２Ａ／ＢＧＯ複合シンチレータも開示されている。しかし、この構成でも、主にβ線と主にγ線の弁別が行われるだけであり、β線とγ線とを正確に弁別して検出することはできない。
【先行技術文献】
【特許文献】
【０００５】
【特許文献１】特開２０００−２８４０５２号公報
【特許文献２】特開平５−３４１０４７号公報
【発明の概要】
【発明が解決しようとする課題】
【０００６】
本発明は、異なる線種を弁別して正確に検出することができる線種弁別放射線検出装置並びにこれを使用したサーベイメータ、放射線モニタ及び個人被ばく線量計を提供することを目的とする。
【課題を解決するための手段】
【０００７】
上記目的を達成するために、本発明の一実施形態は、線種弁別放射線検出装置であって、第１線種に反応する第１検出部が、前記第１線種の進行方向に形成された第１検出器と、前記第１線種と第２線種との両方に反応する第２検出部が、前記第１線種と前記第２線種の進行方向で、前記第１検出器と重なるように配置された第２検出器と、を備える。
上記第１検出器は、３層以上の第１検出部を備えることが好適である。
また、前記第２検出器に入射した放射線のエネルギーの大きさを計測するエネルギー計測部を備え、線種弁別情報とあわせて線種毎のエネルギー値及び検出頻度に基づき線種毎のスペクトルを生成するのが好適である。
【０００８】
また、上記第１線種がベータ線であり、前記第２線種がガンマ線である。
【０００９】
上記第１検出器は、多芯比例計数管、ガイガーミュラー管、シンチレータ、２次元ガス検出器またはＳｉ半導体検出器のいずれかにより構成されるのが好適である。
【００１０】
また、上記第２検出器は、シンチレータ、ＣｄＴｅ半導体検出器またはＣｄＺｎＴｅ半導体検出器のいずれかにより構成されるのが好適である。
【００１１】
また、本発明の他の実施形態は、上記線種弁別放射線検出装置を使用したサーベイメータまたは放射線モニタまたは個人被ばく線量計であるのが好適である。
【発明の効果】
【００１２】
本発明によれば、異なる線種を弁別して正確に検出することができる。
【図面の簡単な説明】
【００１３】
【図１】実施形態にかかる線種弁別放射線検出装置の構成例を示す図である。
【図２】実施形態にかかる線種弁別放射線検出装置の具体例の断面図である。
【図３】実施形態にかかる線種弁別放射線検出装置の他の具体例を示す図である。
【図４】実施形態にかかる線種弁別放射線検出装置のさらに他の具体例を示す図である。
【図５】実施形態にかかる線種弁別部の構成例を示す図である。
【図６】実施形態にかかる線種弁別放射線検出装置による、β線とγ線とが混合された放射線の測定結果の例を示す図である。
【発明を実施するための形態】
【００１４】
以下、本発明を実施するための形態（以下、実施形態という）を、図面に従って説明する。
【００１５】
図１には、実施形態にかかる線種弁別放射線検出装置の構成例が示される。図１において、線種弁別放射線検出装置は、第１検出器１０と第２検出器１２とが検出対象の放射線の進行方向で重なるように配置されている。ここで、第１検出器１０と第２検出器１２とが「重なる」とは、検出対象の放射線の進行方向において、第１検出器１０、第２検出器１２の順で配置され、放射線が進行する際に第１検出器１０を通過して第２検出器１２に到達することをいう。
【００１６】
第１検出器１０は、検出対象の放射線のうち第１線種に反応する第１検出部により構成されている。この第１検出部は単層でも動作する（第１線種に反応する）ことができるが、放射線の弁別精度を向上させるためには複数層とするのが好適である。本実施形態において第１検出部は第１線種の進行方向に複数重ねて形成されており、図１の例では、３層の第１検出部１０ａ、１０ｂ、１０ｃがこの順序で第１線種の進行方向に形成されている。ここで、第１検出部１０ａ、１０ｂ、１０ｃを「重ねて形成」とは、検出対象の放射線の進行方向において、第１検出部１０ａ、１０ｂ、１０ｃの順で配置され、放射線が進行する際に第１検出部１０ａ、１０ｂ、１０ｃをこの順序で通過することをいう。第１検出部１０ａ、１０ｂ、１０ｃは、例えば多芯比例計数管、ガイガーミュラー管、シンチレータ、２次元ガス検出器またはＳｉ半導体検出器等により構成される。また、第１線種としては、例えばβ（ベータ）線等が挙げられる。第１検出部１０ａ、１０ｂ、１０ｃは、β線等の第１線種が入射すると、光の放出、電荷の発生等の反応をする。
【００１７】
第２検出器１２は、検出対象の放射線のうち第１線種と第２線種の両方に反応する第２検出部１２ａにより構成されている。第２検出部１２ａは第１線種と第２線種の進行方向で、第１検出部１０ａ、１０ｂ、１０ｃと重なるように配置されている。第２検出部１２ａは、例えばシンチレータ、ＣｄＴｅ半導体検出器またはＣｄＺｎＴｅ半導体検出器等により構成される。また、第２線種としては、例えばγ（ガンマ）線等が挙げられる。第２検出部１２ａは、β線等の第１線種、γ線等の第２線種が入射すると、光の放出、電荷の発生等の反応をする。
【００１８】
なお、上記第１検出部１０ａ、１０ｂ、１０ｃは、β線等の第１線種には反応するが、γ線等の第２線種には反応しないように構成されている。ただし、本来上記第２線種に属するＸ（エックス）線（低エネルギーγ線）等は、透過力が低く、第１検出部１０ａ、１０ｂ、１０ｃ内で反応して消滅してしまう。Ｘ線等が第１検出部１０ａ、１０ｂ、１０ｃで反応すると、本実施形態にかかる線種弁別放射線検出装置の目的である第１線種と第２線種との弁別に対してはノイズとなる可能性がある。このため、後述するように、第１検出器１０のみで反応する線種はノイズとして除去する構成とするのが好適である。
図１に示されるように、第１検出器１０に入射したβ線等の第１線種は、第１検出部１０ａ、１０ｂ、１０ｃを反応させつつ、第２検出部１２ａまで透過して行き、第２検出部１２ａも反応させる。一方、γ線等の第２線種が入射すると、第１検出部１０ａ、１０ｂ、１０ｃでは反応せずに第２検出部１２ａまで透過して行き、第２検出部１２ａのみを反応させる。図１の例では、第１線種及び第２線種に反応したことを丸印（○）で示している。また、Ｘ線は透過性が低いので、第１検出部１０ａまたは１０ｂに進入した段階で反応し消滅する。従って、第１検出部１０ａ、１０ｂ、１０ｃは、その厚さを適正に設定することでＸ線に対して遮蔽板として機能する。このため、第１検出部１０ａ、１０ｂ、１０ｃの厚さによって遮蔽できるＸ線（低エネルギーγ線）のエネルギーが決まるので、上記厚さにより線種弁別放射線検出装置の低エネルギー側の感度が決定される。図１の例では、第１検出部ａのみがＸ線に反応している（○で示している）が、第１検出部１０ｂより先には透過していない。
【００１９】
上記第１検出器１０を構成する第１検出部１０ａ、１０ｂ、１０ｃ及び第２検出器１２を構成する第２検出部１２ａには、それぞれカウンター１４ａ、１４ｂ、１４ｃ、１４ｄが接続されている。カウンター１４ａ、１４ｂ、１４ｃ、１４ｄは、第１検出部１０ａ、１０ｂ、１０ｃ及び第２検出部１２ａが放射線の入射に反応して出力した光あるいは電荷等を検出するフォトダイオードあるいは増幅器を含んで構成されており、上記反応の回数をカウントする。これらのカウンター１４ａ、１４ｂ、１４ｃ、１４ｄは、例えば第１検出部１０ａ、１０ｂ、１０ｃ及び第２検出部１２ａが入射した放射線に反応したときにカウントし（例えば１を出力し）、反応せずに通過したときにはカウントしない（例えば出力が０を維持する）。
【００２０】
なお、第２検出器１２（第２検出部１２ａ）には、エネルギー計測部１６が接続されており、第２検出器１２に入射した放射線のエネルギーの大きさを計測する。計測された放射線のエネルギーは、第１検出器１０及び第２検出器１２による線種弁別情報とあわせて線種毎のエネルギー値として認識され、さらにこのエネルギー値と線種毎の検出頻度とに基づき線種毎のスペクトルを生成する。
【００２１】
上記カウンター１４ａ、１４ｂ、１４ｃ、１４ｄの出力は、線種弁別部１８に入力される。上述したように、第１検出部１０ａ、１０ｂ、１０ｃはβ線等の第１線種に反応し、第２検出部１２ａはβ線等の第１線種及びγ線等の第２線種に反応するので、第１検出器１０に例えばβ線が入射すると、カウンター１４ａ、１４ｂ、１４ｃ、１４ｄからそれぞれ出力１が線種弁別部１８に入力される。また、例えばγ線が入射すると、第２検出部１２ａのみが反応するので、カウンター１４ａ、１４ｂ、１４ｃから線種弁別部１８への入力は０となり、カウンター１４ｄからの入力は１となる。そこで、線種弁別部１８は、カウンター１４ａ、１４ｂ、１４ｃ、１４ｄからそれぞれ出力１が入力した場合には、入射した放射線がβ線であると判断し、カウンター１４ｄからの入力のみが１の場合には、入射した放射線がγ線であると判断する。
【００２２】
表１には、上記線種弁別部１８の弁別処理の内容が示される。
【００２３】
【表１】
2015203602.tif 000003
【００２４】
表１において、カウンター１４ａ、１４ｂ、１４ｃ、１４ｄから１が出力された（第１検出部１０ａ、１０ｂ、１０ｃ及び第２検出部１２ａが放射線の入射に反応した）場合が丸印（○）で示され、カウンター１４ａ、１４ｂ、１４ｃ、１４ｄから０が出力された（第１検出部１０ａ、１０ｂ、１０ｃ及び第２検出部１２ａが放射線の入射に反応しなかった）場合がバツ印（×）で示されている。
【００２５】
線種弁別部１８は、カウンター１４ａ、１４ｂ、１４ｃ、１４ｄ全てから１が出力された（表１で○が４つ並んでいる）場合に、入射した放射線がβ線であると判断し、カウンター１４ｄからのみ１が出力された（表１で○が１つ）場合に、入射した放射線がγ線であると判断する。一方、入射した放射線がＸ線の場合は、表１の○が１つであるが、第１検出部ａのみが反応し、カウンター１４ａのみから１が出力されているので、上記γ線の場合と区別して、入射した放射線はＸ線であると判断する。これにより、Ｘ線を第1線種として誤判定することを防ぐことができる。
【００２６】
なお、以上の説明では、第１検出器１０を構成する第１検出部が３層の例であったが、第１検出部は３層に限定されず、１層、２層または４層以上であってもよい。層を増やすことにより各層の中間地点での反応や、ガンマ線の散乱によるイレギュラーの影響を除去できる。
【００２７】
図２には、本実施形態にかかる線種弁別放射線検出装置の具体例の断面図が示され、図１と同一要素には同一符号が付されている。図２において、線種弁別放射線検出装置は、第１検出器１０と第２検出器１２とが放射線の進行方向に重ねて形成されている。なお、図２では、カウンター１４ａ、１４ｂ、１４ｃ、１４ｄ、エネルギー計測部１６、線種弁別部１８の記載は省略している。
【００２８】
第１検出器１０は３本の電極により構成された第１検出部１０ａ、１０ｂ、１０ｃを備えており、各電極は比例計数管またはガイガーミュラー計数管と同じ構成となっている。すなわち、第１検出部１０ａ、１０ｂ、１０ｃには、図示しない適宜な電源から予め定めた電圧が印加され、図２の左方（矢印Ａ方向）からβ線等の放射線（第１線種）が入射すると、第１検出器１０の内部に充填された検出用ガス（ＰＲ（アルゴン９０％及びメタン１０％）、Ｑガス（ヘリウム９８％及びイソブタン２％）等）をイオン化し、電子を発生する。発生した電子は、第１検出部１０ａ、１０ｂ、１０ｃにより電子雪崩効果により増幅され、その際に第１検出部１０ａ、１０ｂ、１０ｃを構成する電極に流れる電荷パルスを検出して図１に示されるカウンター１４ａ、１４ｂ、１４ｃがカウント値１を出力する。
【００２９】
また、上記β線は第２検出器１２まで透過する。第２検出器１２は、例えば適宜なシンチレータで構成されており、第２検出器１２まで透過してきたβ線に反応して蛍光を発光する。図１に示されるカウンター１４ｄは、フォトダイオードにより上記蛍光を検出してカウント値１を出力する。
【００３０】
また、図２の左方からγ線等の放射線（第２線種）が入射すると、第１検出器１０の内部に充填された検出用ガスをイオン化せずに第２検出器１２まで透過する。このため、第１検出部１０ａ、１０ｂ、１０ｃはγ線に反応せず（電子雪崩が起こらない）、第２検出器１２の第２検出部１２ａ（シンチレータ）から蛍光が発生する。従って、γ線に対しては、カウンター１４ｄのみが上記蛍光を検出してカウント値１を出力する。
【００３１】
なお、上述した通り、Ｘ線は第１検出器１０の第１検出部１０ａまたは第１検出部１０ｂまでしか透過せず、反応して消滅する。
【００３２】
図３には、本実施形態にかかる線種弁別放射線検出装置の他の具体例が示され、図１と同一要素には同一符号が付されている。図３において、第１検出器１０は、３層のシリコン（Ｓｉ）半導体により構成された第１検出部１０ａ、１０ｂ、１０ｃを備えている。また、第２検出器１２は、第２検出部１２ａとしてＣｄＴｅ半導体検出器を備えている。なお、第２検出部１２ａとしては、ＣｄＺｎＴｅ半導体検出器を使用してもよい。また、図３の例でも、カウンター１４ａ、１４ｂ、１４ｃ、１４ｄ、エネルギー計測部１６、線種弁別部１８の記載は省略している。
【００３３】
図３に示された第１検出器１０及び第２検出器１２の動作は、図１、図２に示された線種弁別放射線検出装置と同様であり、β線等の第１線種に対しては第１検出器１０及び第２検出器１２が反応し、γ線等の第２線種に対しては第２検出器１２のみが反応する。なお、上述した通り、Ｘ線は第１検出器１０の第１検出部１０ａ〜第１検出部１０ｃまでしか透過しない。どの位置で反応して消滅するかは、Ｘ線の有するエネルギーの大きさにより決まる。
【００３４】
図４には、本実施形態にかかる線種弁別放射線検出装置のさらに他の具体例が示され、図１と同一要素には同一符号が付されている。なお、図４の例でも、カウンター１４ａ、１４ｂ、１４ｃ、１４ｄ、エネルギー計測部１６、線種弁別部１８の記載は省略している。
【００３５】
図４において、第１検出器１０は２次元ガス検出器で構成されており、具体的にはガス電子増幅器（ＧＥＭ）等を使用することができる。図４の例では、ドリフト電極１００と第１検出器１０の第１検出部１０ａ、１０ｂ、１０ｃとの間にガス電子増幅器（ＧＥＭ）１０２が配置されており、図示しないチャンバに収容されている。また、放射線の進行方向で、第１検出器１０と重なるように第２検出器１２が配置されている。第２検出器１２は、例えば適宜なシンチレータにより構成されている。シンチレータに放射線が入射したときに出力される蛍光は、フォトダイオード２０等により検出される。
【００３６】
ドリフト電極１００とＧＥＭ１０２との間の領域（ドリフト領域）に放射線が入射すると、図示しないチャンバ内に充填された検出用ガスがイオン化され、発生した電子がドリフト電極１００とＧＥＭ１０２との間の電位差に基づいてＧＥＭ１０２まで移動してＧＥＭ１０２により増幅される。増幅された電子は、電極として構成された第１検出部１０ａ、１０ｂ、１０ｃに検出される。なお、第１検出部１０ａ、１０ｂ、１０ｃをフォトダイオードにより構成し、ＧＥＭ１０２による電子増幅の際に発生する光を検出してもよい。
【００３７】
上記第１検出部１０ａ、１０ｂ、１０ｃは、上述したように、ＧＥＭ１０２により増幅された電子を検出（捕集）する電極あるいはフォトダイオード等により構成されるが、β線等の第１線種、γ線等の第２線種、Ｘ線（低エネルギーγ線）の進行方向に第１検出部１０ａ、１０ｂ、１０ｃの順で形成される。第１線種の内、透過性の高いβ線は、上記ドリフト領域中で検出ガスをイオン化し、第１検出部１０ａ、１０ｂ、１０ｃにより検出される。また、β線は、第２検出器１２まで到達し、発生するシンチレーション光（蛍光）がフォトダイオード２０等により検出される。なお、Ｘ線も検出ガスをイオン化するが、上記ドリフト領域中で反応・消滅し、その結果第１検出部１０ａのみ、または第１検出部１０ａ、１０ｂで検出される。一方、γ線は、ドリフト領域を通過中は検出ガスをイオン化せず、第２検出器１２まで到達してシンチレーション光を発生させ、上記フォトダイオード２０等により検出される。
【００３８】
図５には、線種弁別部１８の構成例が示され、図１と同一要素には同一符号が付されている。図５において、線種弁別部１８は、３個のＡＮＤ回路２２ａ、２２ｂ、２２ｃと、２個のＮＯＲ回路２４ａ、２４ｂとの組み合わせにより構成されており、β線、Ｘ線、γ線を弁別する構成となっている。ＡＮＤ回路２２ａ及びＮＯＲ回路２４ａはカウンター１４ａ、１４ｂ、１４ｃと接続され、ＡＮＤ回路２２ｂはＡＮＤ回路２２ａの出力側とカウンター１４ｄに接続され、ＡＮＤ回路２２ｃはＮＯＲ回路２４ａの出力側とカウンター１４ｄに接続され、ＮＯＲ回路２４ｂはＡＮＤ回路２２ｂ、２２ｃの出力側に接続されている。
【００３９】
第１検出器１０にβ線が入射した場合、上述したように第１検出部１０ａ、１０ｂ、１０ｃ及び第２検出部１２ａで反応し、カウンター１４ａ、１４ｂ、１４ｃ、１４ｄから１が出力される。この結果、ＡＮＤ回路２２ａ及びＮＯＲ回路２４ａの入力が全て１となり、ＡＮＤ回路２２ａの出力が１、ＮＯＲ回路２４ａの出力が０となる。従って、ＡＮＤ回路２２ｂの入力（ＡＮＤ回路２２ａの出力とカウンター１４ｄの出力）が１となり、ＡＮＤ回路２２ｂの出力が１となって、入射した放射線がβ線であると判断する。なお、ＮＯＲ回路２４ａの出力は０であるので、ＡＮＤ回路２２ｃの出力が０となり、これとＡＮＤ回路２２ｂの出力が１であることからＮＯＲ回路２４ｂの出力も０となる。従って、入射した放射線がＸ線またはγ線ではないと判断する。
【００４０】
第１検出器１０にＸ線が入射した場合、上述したように第１検出部１０ａ（または第１検出部１０ａ、１０ｂ）で反応し、カウンター１４ａ（または、カウンター１４ａと１４ｂ）から１が出力され、カウンター１４ｃ、１４ｄから０が出力される（カウンター１４ｂからも０が出力される場合もある）。この結果、ＡＮＤ回路２２ａ及びＮＯＲ回路２４ａの入力の一つまたは二つが１となり（一つまたは二つの入力が０となる）、ＡＮＤ回路２２ａ及びＮＯＲ回路２４ａの出力が０となる。このため、ＡＮＤ回路２２ｂ、２２ｃの出力も０となるので、ＮＯＲ回路２４ｂの出力が１となる。これにより、入射した放射線がＸ線であると判断する。なお、ＡＮＤ回路２２ｂ、２２ｃの出力が０であることから、入射した放射線がβ線またはγ線ではないと判断する。
【００４１】
第１検出器１０にγ線が入射した場合、上述したように第２検出部１２ａのみで反応し、カウンター１４ａ、１４ｂ、１４ｃから０が出力され、カウンター１４ｄから１が出力される。この結果、ＡＮＤ回路２２ａ及びＮＯＲ回路２４ａの入力が０となり、ＡＮＤ回路２２ａの出力が０、ＮＯＲ回路２４ａの出力が１となる。また、ＡＮＤ回路２２ｃの入力（ＮＯＲ回路２４ａの出力とカウンター１４ｄの出力）が１となり、ＡＮＤ回路２２ｃの出力が１となって、入射した放射線がγ線であると判断する。なお、ＡＮＤ回路２２ａの出力が０であることからＡＮＤ回路２２ｂの出力が０となり、ＡＮＤ回路２２ｃの出力が１であることからＮＯＲ回路２４ｂの出力が０となり、入射した放射線がβ線またはＸ線ではないと判断する。
【００４２】
なお、図５は線種弁別部１８の一例であって、線種弁別部１８の構成はこれに限定されない。カウンター１４ａ、１４ｂ、１４ｃ、１４ｄの出力に基づき線種を弁別できる構成であればよい。
【００４３】
図６には、本実施形態にかかる線種弁別放射線検出装置による、β線とγ線（Ｓｒ-９０からのβ線とＣｓ-１３７からのγ線）とが混合された放射線の測定結果の例が示される。図６において、全放射線の表示がβ線とγ線とが混合された放射線のスペクトルであり、β線及びγ線の表示がそれぞれβ線及びγ線のスペクトルである。なお、図６の横軸は、エネルギー計測部１６で計測したエネルギー値である。また、縦軸は、線種弁別部１８でカウントした線種毎の検出頻度である。
【００４４】
図６に示されるように、全放射線を線種弁別放射線検出装置に入射させた場合、β線及びγ線を弁別して検出することができている。なお、検出したβ線及びγ線のスペクトルは、全放射線を生成するために使用した（混合した）β線及びγ線のスペクトルと一致していた。これにより、本実施形態にかかる線種弁別放射線検出装置は、異なる線種を弁別して正確に検出することができることが確認された。
【符号の説明】
【００４５】
１０  第１検出器、１０ａ、１０ｂ、１０ｃ  第１検出部、１２  第２検出器、１２ａ  第２検出部、１４ａ、１４ｂ、１４ｃ、１４ｄ  カウンター、１６  エネルギー計測部、１８  線種弁別部、２０  フォトダイオード、２２ａ、２２ｂ、２２ｃ  ＡＮＤ回路、２４ａ、２４ｂ  ＮＯＲ回路、１００  ドリフト電極、１０２  ＧＥＭ。
【図１】
2015203602.tif 000004
【図２】
2015203602.tif 000005
【図３】
2015203602.tif 000006
【図４】
2015203602.tif 000007
【図５】
2015203602.tif 000008
【図６】
2015203602.tif 000009